【手続補正書】
【提出日】平成22年1月29日(2010.1.29)
【手続補正１】
【補正対象書類名】特許請求の範囲
【補正対象項目名】請求項１
【補正方法】変更
【補正の内容】
【請求項１】
レーザ光源と、
前記レーザ光源から出射されたレーザ光を記録媒体上に収束させる対物レンズと、
前記記録媒体によって反射された前記レーザ光に非点収差を導入し、これにより、第１の方向に前記レーザ光が収束することによって生じる第１の焦線位置と、前記第１の方向に垂直な第２の方向に前記レーザ光が収束することによって生じる第２の焦線位置とを前記レーザ光の進行方向に互いに離間させる非点収差素子と、
前記記録媒体によって反射された前記レーザ光のうち、異なる４つの光束領域内の光束の進行方向を互いに異ならせ、これら４つの光束領域内の光束を互いに離散させる角度調整素子と、
前記離散された各光束を受光して検出信号を出力する光検出器と、
前記レーザ光に生じるコマ収差を補正するコマ収差補正ユニットと、
を備え、
前記角度調整素子は、前記第１の方向と前記第２の方向にそれぞれ平行で且つ互いにクロスする２つの直線の交点を前記レーザ光軸に整合させたとき、前記２つの直線によって作られる一組の対頂角が並ぶ方向に２つの前記光束領域が配置され、他の一組の対頂角が並ぶ方向に残りの２つの前記光束領域が配置されるよう、前記４つの光束領域を設定し、
前記光検出器は、前記４つの光束をそれぞれ受光する位置に配された第１のセンサ部と、コマ収差による前記光束の強度分布の変化を検出する第２のセンサ部とを有する、
ことを特徴とする光ピックアップ装置。
【手続補正２】
【補正対象書類名】明細書
【補正対象項目名】０００９
【補正方法】変更
【補正の内容】
【０００９】
本発明の第１の態様に係る光ピックアップ装置は、レーザ光源と、前記レーザ光源から出射されたレーザ光を記録媒体上に収束させる対物レンズと、前記記録媒体によって反射された前記レーザ光に非点収差を導入し、これにより、第１の方向に前記レーザ光が収束することによって生じる第１の焦線位置と、前記第１の方向に垂直な第２の方向に前記レーザ光が収束することによって生じる第２の焦線位置とを前記レーザ光の進行方向に互いに離間させる非点収差素子と、前記記録媒体によって反射された前記レーザ光のうち、異
なる４つの光束領域内の光束の進行方向を互いに異ならせ、これら４つの光束領域内の光束を互いに離散させる角度調整素子と、前記離散された各光束を受光して検出信号を出力する光検出器と、前記レーザ光に生じるコマ収差を補正するコマ収差補正ユニットとを備える。ここで、前記角度調整素子は、前記第１の方向と前記第２の方向にそれぞれ平行で且つ互いにクロスする２つの直線の交点を前記レーザ光軸に整合させたとき、前記２つの直線によって作られる一組の対頂角が並ぶ方向に２つの前記光束領域が配置され、他の一組の対頂角が並ぶ方向に残りの２つの前記光束領域が配置されるよう、前記４つの光束領域を設定する。また、前記光検出器は、前記４つの光束をそれぞれ受光する位置に配された第１のセンサ部と、コマ収差による前記光束の強度分布の変化を検出する第２のセンサ部とを有する。
【手続補正３】
【補正対象書類名】明細書
【補正対象項目名】００１９
【補正方法】変更
【補正の内容】
【００１９】
本発明の第３の態様に係る光ディスク装置は、上記第１の態様およびその具体的態様に係る光ピックアップ装置と、前記光検出器からの信号を演算処理する演算回路と、前記演算回路からの信号に基づいて前記対物レンズおよび前記コマ収差補正ユニットを駆動制御するサーボ回路とを備える。
【手続補正４】
【補正対象書類名】明細書
【補正対象項目名】００２４
【補正方法】変更
【補正の内容】
【００２４】
＜技術的原理＞
まず、図１ないし図１０を参照して、本実施の形態に適用される技術的原理について説明する。
【手続補正５】
【補正対象書類名】明細書
【補正対象項目名】００２６
【補正方法】変更
【補正の内容】
【００２６】
図示の如く、アナモレンズの作用により、図中の“曲面方向”に信号光が収束することによって面Ｓ１に焦線が生じ、さらに、この曲面方向に垂直な図中の“平面方向”に信号光が収束することによって面Ｓ２に焦線が生じる。そして、面Ｓ１と面Ｓ２の間の面Ｓ０において、信号光のスポットが最小（最小錯乱円）となる。非点収差法に基づくフォーカス調整では、面Ｓ０に光検出器の受光面が置かれる。なお、ここではアナモレンズにおける非点収差作用を簡単に説明するために、便宜上、“曲面方向”と“平面方向”と表現しているが、実際には、互いに異なる位置に焦線を結ぶ作用がアナモレンズによって生じれば良く、図１中の“平面方向”におけるアナモレンズの形状を平面に限定するものではない。
【手続補正６】
【補正対象書類名】明細書
【補正対象項目名】００５３
【補正方法】変更
【補正の内容】
【００５３】
本光学系の設計条件は、以下の通りである。
（１）往路倍率：１０倍
（２）復路倍率：１８倍
（３）角度調整素子１６によって付与される分光角度：１．９度
（４）角度調整素子１６の分光面と光検出器１７の検出面の間の光路長：３ｍｍ
（５）角度調整素子１６を配さないときの光検出面上におけるスポット径：６０μｍ
（６）角度調整素子１６を配したときの光検出面上における各信号光（光束領域Ａ〜Ｄをそれぞれ通過）の変位距離：１００μｍ
【手続補正７】
【補正対象書類名】明細書
【補正対象項目名】００７４
【補正方法】変更
【補正の内容】
【００７４】
なお、光検出器１１２のセンサパターンは、図１５（ｂ）のように、左右対称に２つのセンサＳａ５、Ｓａ６を配する構成とすることができる。この場合、チルトエラー信号は、Ｓａ５−Ｓａ６の演算により生成される。また、２つのセンサＳａ５、Ｓａ６を図１５（ｃ）、（ｄ）のパターンとすることもできる。この場合も、チルトエラー信号は、Ｓａ５−Ｓａ６の演算により生成される。
【手続補正８】
【補正対象書類名】明細書
【補正対象項目名】００９４
【補正方法】変更
【補正の内容】
【００９４】
また、上記図１４の構成では、信号光を一つの光検出器１１２で受光するようにしたが、たとえば、図１９に示すように、角度調整素子１１１を透過したレーザ光を無偏光ビームスプリッタ（ハーフミラー等）１２０によって分割し、分割したレーザ光をそれぞれ２つの光検出器１２１、１２２にて受光するよう光学系を変更することもできる。この場合、光検出器１２１には、図１０（ｄ）に示すセンサパターン（センサＰ１１〜Ｐ１８）が配され、光検出器１２２には、図１５（ａ）に示す４つのセンサＳａ１〜Ｓａ４のみからなるセンサパターン、または、図１５（ｂ）〜（ｄ）に示す２つのセンサＳａ５、Ｓａ６のみからなるセンサパターンが配される。
【手続補正９】
【補正対象書類名】明細書
【補正対象項目名】００９６
【補正方法】変更
【補正の内容】
【００９６】
なお、上記図１９の構成例では、角度調整素子１１１を検出レンズ１１０と光検出器１１２の間に配置したが、角度調整素子は、対物レンズ１０７と光検出器１１２の間の光路中の任意の位置に配置することができる。ただし、対物レンズ１０７に向かうレーザ光の光路と重なる位置に角度調整素子を配置する場合には、対物レンズ１０７に向かうレーザ
光に角度調整作用を付与しないように角度調整素子を構成する必要がある。たとえば、角度調整素子を図１６（ａ）に示す構成とする場合には、角度調整素子として偏光依存性のホログラム素子を用いる。すなわち、対物レンズ１０７に向かう際のレーザ光の偏光方向には回折作用を発揮せず、対物レンズ１０７から戻ってくるレーザ光の偏光方向に回折作用を発揮するようにホログラム素子を構成する。
【手続補正１０】
【補正対象書類名】明細書
【補正対象項目名】００９７
【補正方法】変更
【補正の内容】
【００９７】
図２０は、この場合の構成例を示す図である。この構成例では、ホルダ１０８に、偏光依存性のホログラム素子にて構成された角度調整素子１３０が装着されている。角度調整素子１３０は、対物レンズ１０７に向かう際のレーザ光（Ｓ偏光）には回折作用を発揮せず、対物レンズ１０７から戻ってくるレーザ光（Ｐ偏光）に回折作用を発揮する。この場合、光束領域Ａ〜Ｄに対する角度変更作用は、図１６（ａ）の場合と同様である。ただし、光検出器１１２の受光面と角度調整素子１３０との間の光路長が上記実施例に比べて長いため、レーザ光の進行方向を変化させる角度量は、上記実施例よりも小さくなる。
【手続補正１１】
【補正対象書類名】明細書
【補正対象項目名】００９８
【補正方法】変更
【補正の内容】
【００９８】
この構成例では、角度調整素子１３０がホルダ１０８に装着されているため、対物レンズ１０７がトラッキング方向にずれても、角度調整素子１３０には、対物レンズ１０７からの戻り光（ディスクからの反射光）に対して、相対的な中心ずれが生じることがない。よって、トラッキング動作時の光軸ずれによる検出信号の劣化を抑制できる。
【手続補正１２】
【補正対象書類名】図面
【補正対象項目名】図１５
【補正方法】変更
【補正の内容】
【図１５】
2010040086.tif 000001
【手続補正１３】
【補正対象書類名】図面
【補正対象項目名】図１６
【補正方法】変更
【補正の内容】
【図１６】
2010040086.tif 000002